(57)【要約】【課題】薄板のカバー部材３２でありながら、閉塞時の変形を少なくする。【解決手段】カバー部材３２が閉塞姿勢のとき、圧接体４９の押圧部５７の下面にてカバー部材３２の主係合部４１の上向き凸湾曲面を押圧する圧接力Ｗは、閉塞成分Ｆ１と可撓成分Ｆ２とから構成されている。成分Ｆ１は、カバー部材３２の基端の枢支部３６に対してカバー部材が閉じる向きのモーメントが作用するように設定されている。圧接力Ｗのうち成分Ｆ１の向きを、カバー部材３２の自由端側がカートリッジ収納部１５の開口部３５を塞ぐ方向のモーメントが作用するように設定すれば、閉塞姿勢のカバー部材３２が不用意に開くことがない。Ｆ２成分は、カバー部材３２を枢支されている側に向けて撓ませるように付勢するであるが、補助係合部４２と補助嵌合部４４と嵌合による拘束にて主係合部４１がカバー部材３２の基端方向に位置ずれすることを、確実に阻止できる。【選択図】図１１
2010042615.tif 000002
【特許請求の範囲】
【請求項１】
収納体を挿抜可能な開口部を有する収納ケース部と、
一端側が前記収納ケース部に枢支され、前記収納ケース部の開口部を開放する開放姿勢と閉塞する閉塞姿勢との間で回動可能なカバー部材と、
前記カバー部材の開閉状態を検知するために前記収納ケース部に設けられた開閉検知機構とを備え、
前記カバー部材の自由他端側には、前記開閉検知機構に係脱する主係合部と、前記収納ケース部に設けられた補助嵌合部に係脱して、前記自由他端側の位置ずれを防止する補助係合部とを備え、
前記カバー部材が閉塞姿勢にあるとき、前記主係合部に対する前記開閉検知機構の圧接体は、その圧接力により、前記カバー部材を閉じ方向に付勢するモーメントを生じるように構成されていることを特徴とするカバー部材の開閉装置。
【請求項２】
前記圧接力は、前記カバー部材を閉じる向きに付勢する閉塞成分と、前記カバー部材を前記一端側に向けて撓ませるように付勢する可撓成分とからなるモーメントを生じるように構成され、前記補助係合部は前記可撓成分による前記カバー部材の撓みを防止することを特徴とする請求項１に記載のカバー部材の開閉装置。
【請求項３】
前記開閉検知機構は、前記カバー部材が閉じられる際に、前記圧接体が前記主係合部に係合して、クリック感を有するように構成されていることを特徴とする請求項１または２に記載のカバー部材の開閉装置。
【請求項４】
前記開閉検知機構における前記圧接体は、電気的結合をＯＮ／ＯＦＦするためのラバースイッチ部をＯＮ状態或いはＯＦＦ状態にするように構成され、前記開閉検知機構には、ラバースイッチ部を常時ＯＮ状態に付勢する付勢手段が設けられていることを特徴とする請求項１乃至３のいずれかに記載のカバー部材の開閉装置。
【請求項５】
前記カバー部材は装置本体の外装の一部を構成していることを特徴とする請求項１乃至４のいずれかに記載のカバー部材の開閉装置。
【請求項６】
前記収納体は、インクカートリッジであり、
前記収納ケース部には、前記開口部と対峙する側にて前記インクカートリッジにおけるインク供給接続部に対するインク導入口を備えた接続体とを有し、
前記カバー部材の下端部が前記収納ケース部に枢支され、
前記開閉検知機構は前記収納ケース部の天板側に設けられていることを特徴とする請求項１乃至５のいずれかに記載のカバー部材の開閉装置。
【発明の詳細な説明】
【技術分野】
【０００１】
本発明は、収納体を収納する収納ケース部の開口部を開閉するカバー部材の開閉装置の構造に関するものであり、より詳しくは、インクジェット記録装置（インクジェットプリンタ）に収納される収納体としてのインクカートリッジの収納装置（リフィルユニット）等におけるカバー部材の開閉装置の構造に関するものである。
【背景技術】
【０００２】
一般に、電子機器装置、例えば、画像形成装置における収納体としての操作パネルの操作キー配列部を開閉するカバー部材（扉体や開閉部材）は、特許文献１に開示されているように、装置本体の外装の一部を構成しているため、樹脂製の薄板からなるものが多い。
他方、この種のカバー部材の閉塞姿勢を保持するために、カバー部材の自由端側と装置本体とにロック部を設けている。さらに、カバー部材の開閉状態を検知するための開閉検知機構は、装置本体側に設けられ、閉止位置では、カバー部材の自由端側のうち内面に突出された突起部が開閉検知機構に係合するタイプのものが多い。
【０００３】
そして、特許文献２のように、開閉検知機構として電気的結合をＯＮ／ＯＦＦするためのラバースイッチを採用したものがあった。この種のラバースイッチでは、スイッチＯＮ状態を保持するために、大きい押圧力を付与するためにコイルスプリングなどの付勢手段が必要となる。
【特許文献１】特開２００７−２８１９５５号公報（図２参照）
【特許文献２】特開２００６−１５６１５９号公報（図４参照）
【発明の開示】
【発明が解決しようとする課題】
【０００４】
ところで、カバー部材の剛性を高め且つ外観を良好にするためには、カバー部材の内面のうち、広巾面に複数のリブ条を一体的に形成することが望ましいが、特許文献１の上記操作キー配列部のような収納体は装置本体の外面に近くに位置していることが多い。カバー部材の内面に複数のリブ条を設けると、カバー部材を閉じた状態で、各リブ条が上記収納体の表面に干渉しないようにするには、そのリブ条の高さ分だけ、カバー部材を装置本体の外側に配置しなければならず、装置本体の外面とカバー部材の外面とが実質的に同一面となるように形成すると、装置本体全体が大型化になるし、使用材料の量も多くなる。
これを回避するため、特許文献１に開示されているように、カバー部材の周囲のうち回動基端側を除く３側辺にリブが一体的に形成されているものが多かった。
【０００５】
しかしながら、上記の構成では、必要な剛性が得られない結果、次のような不具合が発生する。即ち、薄板であるカバー部材の自由端側の内面の突起部に閉止時の開閉検知機構の大きい押圧力が作用すると、当該閉止時におけるカバー部材の薄板部分が上記突起部の突出方向と反対側に膨らむ（撓む）ように変形する。この変形により、閉止時における装置本体とのロック部が不用意に解除されるように甘くなったり、カバー部材の側縁と装置本体との間に不自然な隙間が発生したり、開閉検知機構によるＯＮ／ＯＦＦの検知が不完全となるなどの問題があった。
【０００６】
本発明は、これらの問題を解決すべくなされたものであって、薄板のカバー部材でありながら、閉止時の変形が少なく、且つ開閉検知機構によるＯＮ／ＯＦＦの検知精度も正確に行なえるようにした、カバー部材の開閉装置を提供することを目的とするものである。
【課題を解決するための手段】
【０００７】
上記目的を達成するため、請求項１に記載の発明のカバー部材の開閉装置は、収納体を挿抜可能な開口部を有する収納ケース部と、一端側が前記収納ケース部に枢支され、前記収納ケース部の開口部を開放する開放姿勢と閉塞する閉塞姿勢との間で回動可能なカバー部材と、前記カバー部材の開閉状態を検知するために前記収納ケース部に設けられた開閉検知機構とを備え、前記カバー部材の自由他端側には、前記開閉検知機構に係脱する主係合部と、前記収納ケース部に設けられた補助嵌合部に係脱して、前記自由他端側の位置ずれを防止する補助係合部とを備え、前記カバー部材が閉塞姿勢にあるとき、前記主係合部に対する前記開閉検知機構の圧接体は、その圧接力により、前記カバー部材を閉じ方向に付勢するモーメントを生じるように構成されているものである。
【０００８】
請求項２に記載の発明は、請求項１に記載のカバー部材の開閉装置において、前記圧接力は、前記カバー部材を閉じる向きに付勢する閉塞成分と、前記カバー部材を前記一端側に向けて撓ませるように付勢する可撓成分とからなるモーメントを生じるように構成され、前記補助係合部は前記可撓成分による前記カバー部材の撓みを防止するものである。
【０００９】
請求項３に記載の発明は、請求項１または２に記載のカバー部材の開閉装置において、前記開閉検知機構は、前記カバー部材が閉じられる際に、前記圧接体が前記主係合部に係合して、クリック感を有するように構成されているものである。
【００１０】
請求項４に記載の発明は、請求項１乃至３のいずれかに記載のカバー部材の開閉装置において、前記開閉検知機構における前記圧接体は、電気的結合をＯＮ／ＯＦＦするためのラバースイッチ部をＯＮ状態或いはＯＦＦ状態にするように構成され、前記開閉検知機構には、ラバースイッチ部を常時ＯＮ状態に付勢する付勢手段が設けられているものである。
【００１１】
請求項５に記載の発明は、請求項１乃至４のいずれかに記載のカバー部材の開閉装置において、前記カバー部材は装置本体の外装の一部を構成しているものである。
【００１２】
請求項６に記載の発明は、請求項１乃至５のいずれかに記載のカバー部材の開閉装置において、前記収納体は、インクカートリッジであり、前記収納ケース部には、前記開口部と対峙する側にて前記インクカートリッジにおけるインク供給接続部に対するインク導入口を備えた接続体とを有し、前記カバー部材の下端部が前記収納ケース部に枢支され、
前記開閉検知機構は前記収納ケース部の天板側に設けられているものである。
【発明の効果】
【００１３】
請求項１に記載の発明の構成では、収納ケース部の開口部を塞ぐためのカバー部材の自由端側には、前記開閉検知機構に係脱する主係合部と、前記収納ケース部に設けられた補助嵌合部に係脱して、カバー部材の自由他端側の位置ずれを防止する補助係合部とを備え、前記カバー部材が閉じられた時、前記主係合部に対する前記開閉検知機構の圧接体は、その圧接力の方向が、前記カバー部材を閉じ方向に付勢するモーメントを生じるように構成されているものである。従って、圧接力の方向を、カバー部材の自由端側がカートリッジ収納部の開口部を塞ぐ方向のモーメントが作用するので、閉塞姿勢のカバー部材が不用意に開くことがない。それに加えて、カバー部材の補助係合部が、収納ケース部側の補助嵌合部に嵌まり係合して、カバー部材の自由他端側の位置ずれを防止しているので、たとえ、圧接体による主係合部への圧接力がカバー部材の基端方向に向かうことにより、主係合部がカバー部材の基端方向に位置ずれすることを、補助係合部と補助嵌合部と嵌合による拘束にて確実に阻止される。
【００１４】
しかして、カバー部材の自由端側の位置ずれが確実に防止されて、カバー部材が薄板状であっても、その撓み変形が生じない。従って、閉塞姿勢のカバー部材の自由端側や左右両側縁が開口部に対して隙間が生じるような変形が無くなり、装置本体の外装としての役割を十分に果たすことができる。また、上述のように、カバー部材の自由端側の変形が発生しないことにより、圧接体の押圧部の下面に対する主係合部の圧接力が弱くなったり、圧接体の押上が不十分となるような位置ずれが発生しないから、開閉検知機構の検知精度が悪化することも無くなるという効果を奏する。
【発明を実施するための最良の形態】
【００１５】
以下、適宜図面が参照されつつ、好ましい実施形態に基づいて本発明が詳細に説明される。
【００１６】
図１は本発明の一実施形態に係る画像記録装置（多機能装置）の外観斜視図であってカートリッジ収納部の前面のカバー体を閉じた状態の斜視図、図２はカバー体を開いた状態の正面図、図３はカバー体を開いた状態のカートリッジ収納部の要部拡大斜視図、図４は記録部及び給紙部の概略側断面図である。
【００１７】
本実施形態の画像記録装置１は、プリンタ機能、コピー機能、スキャナ機能、ファクシミリ機能を備えた多機能装置（ＭＦＤ：Multi Function Device ）に本発明を適用したものである。この多機能装置は、図示されていないコンピュータ等の情報処理装置と接続されて、この情報処理装置から送信されてきた画像データや文書データに基づいて、被記録媒体である記録用紙に画像や文書を記録するものである。また、この多機能装置は、デジタルカメラ等の外部機器と接続されてデジタルカメラから出力される画像データを記録用紙に記録することもできる。
【００１８】
本実施形態では、図１に示すように、合成樹脂製の装置筐体２内に図示しないプリンタ部が備えられている。そして、装置筐体２の底部のカセット収納部（収納空間）に対して、装置筐体２の前側に開口された挿入口２ａから挿抜可能（実質上水平方向に出し入れ可能）な給紙カセット３が配置されている。以下、合成樹脂製の装置筐体２の挿入口２ａがある側を前側または前方といい、これを基準に装置の前側、左右側、後側（奥側）という。装置筐体２の前面部にはスロット部１２が備えられ、このスロット部１２にメモリカード等の各種記憶媒体が装填されることによって当該記憶媒体に記憶された画像データ等を記録用紙に記録することも可能である。
【００１９】
装置筐体２の上部には、コピー機能やファクシミリ機能における原稿読取などのための画像読取装置（スキャナ部）１０が配置されている。
【００２０】
装置筐体２の上部のうち前側には、画像読取装置１０の前方に各種操作ボタンや液晶表示部等を備えた操作パネル部１４が設けられている。装置筐体２の前部側に、後に詳述するカートリッジ収納部１５が内蔵されている。そして、装置筐体２の前部側に開閉可能に設けられているカバー部材３２によってカートリッジ収納部１５の前面側が覆われている。このカバー部材３２の下端（請求項の一端に相当）は、カートリッジ収納部１５の下部に設けられている枢支軸に枢支されているので、カバー部材３２は回動して装置筐体２の前面の開口部３５を開閉可能に構成されている。即ち、後に詳述するカバー部材３２は、図３に示すように前方へ倒伏することによって装置筐体２の前面の開口部３５からカートリッジ収納装置１５を露出させる姿勢（開放姿勢）と、上記開口部３５を閉じてカートリッジ収納装置１５を覆う姿勢（閉塞姿勢）との間で回動自在となっている。
【００２１】
画像読取装置１０の上面には、原稿を載置することができる載置用ガラス板（図示せず）が設けられ、その下側に原稿読取り用のイメージスキャナ装置（ＣＩＳ：Contact Image Sensor）（図示せず）が主走査方向（以下、Ｙ軸方向という、図１参照）に往復移動可能に設けられている。
【００２２】
上記載置用ガラス板を覆う原稿カバー体１３はその後端部（図１で右奥側）に図示しない蝶番を備えており、この蝶番を介して画像読取装置１０に対して上下開閉自在に取り付けられている。
【００２３】
本実施形態では、図４に示すように、給紙カセット３は、被記録媒体としての例えばＡ４サイズ、レターサイズ、リーガルサイズ、はがきサイズ等にカットされた用紙をその短辺が用紙搬送方向（副走査方向、以下、Ｘ軸方向という）と直交する方向（図１においてＹ軸方向）に延びるようにして複数枚積層（堆積）されて収納できる形態とする。
【００２４】
給紙カセット３の上部には、小サイズの用紙（図示せず）を複数枚堆積させて供給する補助カセット３ａがＸ軸方向に移動可能に装着されている。挿入口２ａのうち補助カセット３ａの上方の空間は、記録部７で画像記録された用紙が排出できる排出部となる。
【００２５】
給紙カセット３の奥側（図４において左側）には、用紙分離用の傾斜分離板８が配置されている。他方、装置筐体２側には、上端部が上下方向に回動可能なアーム６ａが装着されている。このアーム６ａの下端に設けられた給紙ローラ６と、傾斜分離板８とが協働することにより、給紙カセット３及び補助給紙カセット３ａに堆積された被記録媒体である用紙Ｐが一枚ずつ分離搬送される。分離された用紙Ｐは上横向きのＵターンパス（給送路）９を介して給紙カセット３より後方の上側（高い位置）に設けられた記録部７に給送される。記録部７は、プリンタ機能などを実現するためのインクジェット式の記録ヘッド４が搭載された往復動可能なキャリッジ５等からなる。
【００２６】
記録部７は、図４の紙面に垂直なＹ軸方向（主走査方向）に延びる横長の板状（プレート状）の第１ガイド部材２２、第２ガイド部材２３と、これら両ガイド部材２２、２３に跨がって摺動自在に支持（搭載）されて往復移動可能に構成されたキャリッジ５と、記録ヘッド４が搭載されたキャリッジ５を往復移動させるために第２ガイド部材２３の上面にそれと平行状にて、プーリに巻回配置された無端ベルトとしてのタイミングベルトと、そのタイミングベルトを駆動するＣＲ（キャリッジ）モータ（実施形態ではＤＣモータであるが、ステッピングモータ等他のモータでもよい。）と、記録ヘッド４の下面側にて搬送される用紙Ｐを支持する板状のプラテン２６と、主走査方向に沿って延びるように配置されてキャリッジ５の主走査方向の位置とその方向の移動速度を検知するための光学式リニアエンコーダの構成部品であるテープスケール（図示せず）等を備える。なお、プラテン２６上で用紙Ｐが通過する方向での用紙搬送方向の上流側に、第１ガイド部材２２が配置され、下流側に第２ガイド部材２３が配置されることになる。
【００２７】
また、プラテン２６を挟んで搬送上流側にＰＦ（Paper Feed）ローラ対２７が配置されおり、用紙Ｐは、このＰＦローラ対２７によって、記録ヘッド４の下面のノズル面とプラテン２６との隙間に搬送される。プラテン２６の下流側には、用紙Ｐの上面に接する拍車２８ｂと下面側の駆動する排紙ローラ２８ａとが配置され記録済みの用紙Ｐが排紙部に搬送される。
【００２８】
次に、カートリッジ収納部１５（請求項にいう収納ケース部の一例）の構成について説明する。カートリッジ収納部１５は、フルカラー記録のための４色のインクを各々収容した平面視の面積が小さく、且つ高さ寸法の高いほぼ矩形箱状のインクカートリッジ３０（個別の色、即ち、ブラック（ＢＫ）、シアン（Ｃ）、マゼンタ（Ｍ）、イエロー（Ｙ）用インクである。）を、Ｙ軸方向に沿って一列状に収納できる収納ケース本体３１を内部に備える。
【００２９】
そして、図５（Ａ）、図５（Ｂ）〜図７（Ａ）、図７（Ｂ）に示すように、収納ケース本体３１の後端に装着された接続手段としての接続体３３には、各インクカートリッジ３０に対応させて、４つのニードル（円筒）状のインク導入口（図示せず）が設けられ、この各インク導入口の後端に接続されたインクチューブ３４を介して各インクカートリッジ３０のインク供給弁からインクジェット式の記録ヘッド４にインクを供給するように構成されている。なお、４色よりも多数のインク色を使用する場合（６色〜８色等）には、そのインク色の数に応じたインクカートリッジ３０をカートリッジ収納部１５に収納可能に構成すれば良いし、インクチューブ３４もインクカートリッジ３０の数に合わせて増やせばよい。
【００３０】
カートリッジ収納部１５及びその収納ケース本体３１の前面には、上述した通り、開口部３５が設けられている。カバー部材３２は、この開口部３５に対して開閉することが可能であり、カバー部材３２を開くと、画像記録装置１の前方からインクカートリッジ３０を着脱可能に構成されている。また、図１、図２及び図３に示すように、開口部３５は装置本体２の前面の挿入口２ａの右側と、右側板２ｂとの間（図１で手前の右角部）に位置している。従って、開口部３５を塞いだ状態のカバー部材３２は、装置本体２の外装板の一部を構成する。
【００３１】
合成樹脂製などからなる薄板状のカバー部材３２は、その下端部に形成された左右一対の横軸部（枢支部）３６を介してカートリッジ収納部１５の前端で且つ下端に対して上下回動可能に枢支されている（図３、図５（Ａ）、図５（Ｂ）等を参照）。
【００３２】
カバー部材３２の左右両側には、リブ板３２ａ、３２ｂが一体的に形成されている。そして、図１に示すように、カバー部材３２が開口部３５を閉じる姿勢（閉塞姿勢）のとき、右側のリブ板３２ｂは、装置本体２の右側板２ｂと同一平面をなすように当接する。また、右側のリブ板３２ｂから延設された円弧状のアーム３７は、カバー部材３２の開閉回動につれて右側板２ｂの内面側に沿って前後移動可能であり、カバー部材３２が全開するとき（装置本体２の下面とほぼ同一平面をなすまで開くとき）、それ以上の回動を阻止するストッパ３８がアーム３７の自由端（先端）に設けられている。
【００３３】
カバー部材３２の自由端側の内面に設けられたリブ板３２ｃよりも自由端側には、係合爪４０と、主係合部４１と、一対のボス状の補助係合部４２とが一体的に形成されている。一対の補助係合部４２はカバー部材３２のＹ軸方向（幅方向）の両端部に配置され、係合爪４０と、主係合部４１とはカバー部材３２の幅方向の中央寄り部位に配置されている（図３参照）。
【００３４】
装置本体２側であるカートリッジ収納部１５のうちの上部位置に形成された樹脂製のフレーム４３の前面には、上記各補助係合部４２が嵌まり係合する横向き凹状の補助嵌合部４４が形成されている（図３、図５（Ａ）、図５（Ｂ）参照）。
【００３５】
図１において、操作パネル部１４のパネル板１４ａの右側に位置する樹脂製の外装板４５の前側下縁には、閉塞姿勢にあるカバー部材３２の上端（自由端）が当接する。従って、閉塞姿勢にあるカバー部材３２は外装の一部を構成することになる。
【００３６】
［開閉検知機構］
外装板４５の下面側には、本願発明の開閉検知機構４６が配置されている。より詳しく説明すると、外装板４５とフレーム４３との間には、開閉検知機構４６の構成部品としての回路基板４７と、ラバースイッチのためのラバースプリングシート４８、圧接体４９などの可動部品、及び支持フレーム５０が下から順に配置されている（図５（Ａ）、図５（Ｂ）、図８、図１０（Ａ）、図１０（Ｂ）等参照）。回路基板４７には複数の固定接点（図示せず）が設けられている。回路基板４７に載置されるラバースプリングシート４８は、可動接点と頭部とが一体的に形成されたキースイッチ用の複数のラバースプリング５１や、カバー部材３２の開閉検知スイッチ用のラバースプリング５１ａ、並びに上述したスキャナ部１０の開閉状態を検知するためのラバースプリング５１ｂを備えている。回路基板４７とラバースプリングシート４８の組合せにより複数のラバースイッチ部が構成される。
【００３７】
図８及び図９に示すように、圧接体４９の中途部には、水平軸５２が一体的に形成されており、この水平軸５２は支持フレーム５０の軸受５０ａにて回動自在に軸支されている。また、圧接体４９の一端の軸受部４９ａは連動レバー５３の一端に形成されている連結軸５３ａを軸支する。連動レバー５３の中途部の支軸５３ｂは支持フレーム５０の軸受５０ｂに回動可能に軸支されている。連動レバー５３の他端は、カバー部材３２の開閉を検知するラバースプリング５１ａの上面に当接可能に延設されている（図１０（Ａ）及び図１０（Ｂ）参照）。さらに、連動レバー５３の支軸５３ｂにコイル部が遊嵌された捩じりバネ５４の一端は支持フレーム５０の下面に当接している。捩じりバネ５４の他端は連動レバー５３の他端の上面に当接して、連動レバー５３の他端にてラバースプリング５１ａの上面を常時押圧する方向に付勢している。この捩じりバネ５４は請求項にいう付勢手段の一例である。
【００３８】
圧接体４９の一端には、下向き凹湾曲状断面を有する押圧部５７が一体的に形成されている。他方、カバー部材３２の自由端側に設けられた主係合部４１は側面視で、上向き凸湾曲断面を有している（図７（Ａ）、図７（Ｂ）、図１０（Ａ）、図１０（Ｂ）参照）。カバー部材３２が開放姿勢にあるときには、図７（Ｂ）及び図１０（Ｂ）に示すように、ラバースプリング５１ａを押下しているので、ラバースイッチ部がＯＮとなり、回路基板４７に接続された制御部（図示せず）にてカバー部材３２が開いていると判断される。他方、カバー部材３２が閉塞姿勢にあるときには、図７（Ｂ）及び図１０（Ｂ）に示すように、主係合部４１の上向き凸湾曲面が、圧接体４９の押圧部５７の下面を押し上げて嵌合する。従って、圧接体４９の他端が下向きとなり、これに連動して連動レバー５３の他端がラバースプリング５１ａから離間し、ラバースイッチ部がＯＦＦとなり、カバー部材３２が閉じていると判断される。
【００３９】
そして、図７（Ｂ）及び図１０（Ｂ）に示すように、カバー部材３２が閉塞姿勢にあるとき、圧接体４９の押圧部５７の下面にてカバー部材３２の主係合部４１の上向き凸湾曲面を押圧する圧接力Ａの方向（圧接方向）は、カバー部材３２の基端の枢支部３６に対して時計廻りのモーメントが作用するように設定されている。即ち、圧接力Ａのベクトルの作用線に対して枢支部３６から垂下したアーム長さＬ１により、（Ａ×Ｌ１）の時計廻りのモーメントが作用する。このように、上記圧接力Ａの方向を、カバー部材３２の自由端側がカートリッジ収納部１５の開口部３５を塞ぐ方向のモーメントが作用するように設定すれば、閉塞姿勢のカバー部材３２が不用意に開くことがない。それに加えて、カバー部材３２の補助係合部４２が、フレーム４３の前面における凹状の補助嵌合部４４に嵌まり係合しているので、たとえ、圧接体４９による主係合部４１への圧接力がカバー部材３２にその自由他端側が基端側（枢支部３６側）に接近するような曲げ応力や座屈応力が作用しても、主係合部４１がカバー部材３２の基端方向に位置ずれすることを、補助係合部４２と補助嵌合部４４と嵌合による拘束にて確実に阻止される。
【００４０】
しかして、カバー部材３２の自由端側の位置ずれが確実に防止されて、カバー部材３２が薄板状であっても、その撓み変形が生じない。従って、閉塞姿勢のカバー部材３２の自由端側や左右両側縁が開口部３５に対して隙間が生じるような変形が無くなり、装置本体２の外装としての役割を十分に果たすことができる。また、上述のように、カバー部材３２の自由端側の変形が発生しないことにより、圧接体４９の押圧部５７の下面に対する主係合部４１の圧接力が弱くなったり、圧接体４９の押上が不十分となるような位置ずれが発生しなくなることから、開閉検知機構４６の検知精度が悪化したりすることも無くなるという効果を奏する。
【００４１】
なお、カバー部材３２を開放姿勢から閉塞姿勢へと回動するとき、主係合部４１の上向き凸湾曲面で圧接体４９の押圧部５７を一旦押し上げた後、圧接体４９の先端側（押圧部５７を有する側）が元の方向に若干角度だけ回動する感触が、カバー部材３２のクリック感を発生する基となる。さらに、カバー部材３２の自由端に設けられた係合爪４０がフレーム４３の前面に設けられた係止部５８に係止することにより、クリック感とカバー部材３２の閉止時の姿勢保持の作用とが向上する（図６（Ａ）、図６（Ｂ）参照）。但し、係合爪４０と係止部５８とは、本願発明の必須の構成要件ではない。
【００４２】
上記連動レバー５３に隣接して奥側に設けられた検知レバー５５の中途部の軸５５ａは支持フレーム５０の軸受に回動自在に軸支されている。そして、検知レバー５５の一端がラバースプリング５１ｂの上面に臨むように延設され、検知レバー５５の他端が閉じた状態のスキャナ部１０の下面に設けられた検知部１０ａに当接するように延設されている（図７（Ａ）及び図７（Ｂ）参照）。さらに、軸５５ａにコイル部が遊嵌された捩じりバネ５６を介して検知レバー５５にてラバースプリング５１ｂを常時押圧する方向に付勢している。従って、スキャナ部１０が図１に示すような閉じた状態のときには、検知レバー５５の他端がラバースプリング５１ｂから離間するので、ラバースイッチ部はＯＦＦとなり、回路基板４７に接続された制御部にてスキャナ部１０が閉じていると判断される。
【００４３】
実施形態では、カバー部材３２、圧接体４９、支持フレーム５０、連動レバー５３、検知レバー５５はそれぞれ樹脂による射出成形品である。
【００４４】
また、図１１に示すように、主係合部４１の上向き凸湾曲面に対する圧接体４９の押圧部５７による圧接力Ｗが、カバー部材３２の自由他端側を閉じる方向に付勢する閉塞成分Ｆ１を有するモーメントと、カバー部材３２を枢支されている側に向けて撓ませるように付勢する可撓成分Ｆ２を有するモーメント（腕長さＬ２とする）とに分解することができる。
【００４５】
この場合、可撓成分Ｆ２を有するモーメントにより、カバー部材３２の自由他端側が枢支部３６にに接近するような曲げ応力が作用しても、主係合部４１がカバー部材３２の基端方向に位置ずれすることを、補助係合部４２と補助嵌合部４４と嵌合による拘束にて確実に阻止されるのである。
【００４６】
本発明で、収納体としてインクカートリッジ３０を適用すれば、閉塞姿勢にあるカバー部材３２によってインクカートリッジ３０が隠蔽されるので、インクカートリッジに対して不用意に触れられる虞れが無くなり、その結果、インクカートリッジが不用意に外されるという問題も生じない。
【００４７】
上記実施形態では、圧接体４９と連動レバー５３の２つの回動する部材により、主係合部４１に対する係脱動作と、対応するラバースイッチ部に対するＯＮ／ＯＦＦ動作とを連係させていたが、１つの圧接体４９によりこれらの動作を実行するように構成しても良い。その場合、圧接体４９の回動支点（横軸５２）の位置を押圧部５７よりも、開口部３５の前側に設定しても良い。さらに、補助係合部４２と補助嵌合部４４と凹凸関係を、上記実施形態と逆に設定しても良い。
【００４８】
上述のように、開閉検知機構４６を操作パネル部１４に隣接した位置に設ける場合、ラバースプリングを有するラバースイッチ部に開閉検知機構４６を構成することで、操作パネル部のスイッチ類と共通のラバー部品として同時に形成することができて、製造コストの上昇を最小限に抑えることができる。
【００４９】
なお、本発明は、上記各実施形態に限定されることはなく、本発明の要旨を逸脱しない範囲で種々の改良、変形が可能であることはもちろんである。例えば、カートリッジ収納装置の収納ケース本体の開口部が上面に形成され、インカートリッジを上方から差し込むように構成されたものにも適用できる。また、カバー部材３２は、樹脂製以外に金属薄板であっても良い。
【００５０】
さらに、収納体としてインクカートリッジの他、種々の収納体を収納する収納ケース部のカバー部材開閉装置に適用できる。
【図面の簡単な説明】
【００５１】
【図１】本発明の一実施形態に係る多機能装置の外観斜視図である。
【図２】カバー部材を開いた状態の正面図である。
【図３】カバー部材を開いた状態のカートリッジ収納部の要部拡大斜視図である。
【図４】記録部及び給紙部の概略側断面図である。
【図５】（Ａ）はカバー部材を開いた状態の図２のVB−VB線矢視断面図、（Ｂ）は同じ断面個所におけるカバー部材の閉塞姿勢の断面図である。
【図６】（Ａ）はカバー部材を開いた状態の図２のVIB −VIB 線矢視断面図、（Ｂ）は同じ断面個所におけるカバー部材の閉塞姿勢の断面図である。
【図７】（Ａ）はカバー部材を開いた状態の図２のVIIB−VIIB線矢視断面図、（Ｂ）は同じ断面個所におけるカバー部材の閉塞姿勢の断面図である。
【図８】開閉検知機構の部品の分解斜視図である。
【図９】開閉検知機構の平面図である。
【図１０】（Ａ）はカバー部材を開いた状態の開閉検知機構の動作を示す断面図、（Ｂ）はカバー部材を閉止した状態の開閉検知機構の動作を示す断面図である。
【図１１】主係合部４１の上向き凸湾曲面に対する圧接体４９の押圧部５７による圧接力Ｗが、カバー部材３２の自由他端側を閉じる方向に付勢する閉塞成分Ｆ１を有するモーメントと、カバー部材３２を枢支されている側に向けて撓ませるように付勢する可撓成分Ｆ２を有するモーメントを含む実施形態を示す説明図である。
【符号の説明】
【００５２】
１５      インクカートリッジ収納部
３０      インクカートリッジ
３１      収納ケース本体
３２      カバー部材
３５      開口部
３６      枢支部
４１      主係合部
４２      補助係合部
４４      補助嵌合部
４６      開閉検知機構
４７      回路基板
４８      ラバースプリングシート
４９      圧接体
５２      横軸
５３      連動レバー
５４      捩じりバネ
【図１】
2010042615.tif 000003
【図２】
2010042615.tif 000004
【図３】
2010042615.tif 000005
【図４】
2010042615.tif 000006
【図５】
2010042615.tif 000007
【図６】
2010042615.tif 000008
【図７】
2010042615.tif 000009
【図８】
2010042615.tif 000010
【図９】
2010042615.tif 000011
【図１０】
2010042615.tif 000012
【図１１】
2010042615.tif 000013